(57)【要約】【課題】VoIP等の狭帯域呼を拒否せずに確実に受け入れ、ユーザの利便性を向上させる空間多重スロット割当方法およびアダプティブアレイ基地局を提供する。【解決手段】空間多重スロット割当方式で複数の端末と通信を行うアダプティブアレイ基地局(100)が、端末から送信された接続要求を受信するバースト受信部(110)と、受信部が受信した端末の接続要求に基づき、当該端末の呼が狭帯域呼であるか否かを判定するVoIP（狭帯域呼）判定部(120)と、端末の呼が狭帯域呼である場合は、当該端末にサブスロット方式にて割当制御を行うスロット割当制御部(130)とを備える。【選択図】図１
2008085800.tif 000002
【特許請求の範囲】
【請求項１】
複数の端末と通信を行うアダプティブアレイ基地局の空間多重スロット割当方法において、
端末から送信される接続要求に基づき、当該端末の呼が狭帯域呼であるか否かを判定するステップと、
前記端末の呼が狭帯域呼である場合は、当該端末にサブスロット方式にて割当制御を行うステップと、
を含む空間多重スロット割当方法。
【請求項２】
請求項１に記載の空間多重スロット割当方法において、
前記端末からの接続要求が使用するキャリア周波数が、最大空間多重数に到達しているか否かを判定するステップと、
前記端末からの接続要求が、狭帯域呼であり、かつ、最大空間多重数に到達している場合は、当該端末にサブスロット方式にて割当制御を行うステップと、
をさらに含むことを特徴とする空間多重スロット割当方法。
【請求項３】
請求項１または２に記載の空間多重スロット割当方法において、
前記端末からの接続要求が、当該端末の契約種別情報を含み、前記端末からの接続要求が、狭帯域呼であるか否かを当該端末の契約種別情報に基づき判定する、
ことを特徴とする空間多重スロット割当方法。
【請求項４】
請求項１〜３のいずれか１項に記載の空間多重スロット割当方法において、
前記端末からの接続要求が狭帯域呼でない場合は、当該端末からの接続要求が使用するキャリア周波数においてフルスロット方式の割当制御を行っている狭帯域呼の他の端末を、サブスロット方式の割当制御に変更し、当該端末にフルスロット方式にて割当制御を行うステップ、
をさらに含むことを特徴とする空間多重スロット割当方法。
【請求項５】
空間多重スロット割当方式で複数の端末と通信を行うアダプティブアレイ基地局において、
端末から送信された接続要求を受信する受信部と、
前記受信部が受信した前記端末の接続要求に基づき、当該端末の呼が狭帯域呼であるか否かを判定する帯域判定部と、
前記端末の呼が狭帯域呼である場合は、当該端末にサブスロット方式にて割当制御を行う割当制御部と、
を備えるアダプティブアレイ基地局。
【請求項６】
請求項５に記載のアダプティブアレイ基地局において、
前記端末からの接続要求が使用するキャリア周波数が、最大空間多重数に到達しているか否かを判定する多重数判定部をさらに備え、
前記割当制御部は、
前記端末からの接続要求が狭帯域呼であり、かつ、最大空間多重数に到達している場合は、当該端末にサブスロット方式にて割当制御を行う、
ことを特徴とするアダプティブアレイ基地局。
【請求項７】
請求項５または６に記載のアダプティブアレイ基地局において、
前記端末からの接続要求が、当該端末の契約種別情報を含み、
前記判定部は、
前記端末からの接続要求が、狭帯域呼であるか否かを当該端末の契約種別情報に基づき判定する、
ことを特徴とするアダプティブアレイ基地局。
【請求項８】
請求項５〜７のいずれか１項に記載のアダプティブアレイ基地局において、
前記割当制御部が、
前記端末からの接続要求が狭帯域呼でない場合は、当該端末からの接続要求が使用するキャリア周波数においてフルスロット方式の割当制御を行っている狭帯域呼の他の端末を、サブスロット方式の割当制御に変更し、当該端末にフルスロット方式にて割当制御を行う、
ことを特徴とするアダプティブアレイ基地局。
【発明の詳細な説明】
【技術分野】
【０００１】
本発明は、空間多重スロット割当方法およびアダプティブアレイ基地局に関する。
【背景技術】
【０００２】
従来のアダプティブアレイ基地局の空間多重方式では、最大空間多重数に到達した場合には新規の要求を拒否する構成になっていた。また、全ての呼を空間多重すると各呼へ適切なサービスグレードや空間多重を維持できないことがあった。そこで、呼のレベル別に分類し、空間多重をする呼としない呼を判定し、適切なサービスグレードを提供する従来技術（特許文献１を参照されたい。）が提案されている。
【０００３】
【特許文献１】特開２００２−５８０６１号公報
【発明の開示】
【発明が解決しようとする課題】
【０００４】
しかしながら、上述した提案技術は、呼に対して適切なサービスグレードを提供することを可能にはするが、空間多重数が最大に達した場合に新規の呼の接続を受け入れることは依然としてできない。ここで特に問題なのは、VoIP（Voice Over IP=狭帯域呼）等の高い即時性を要求される呼であっても一律に拒絶されることである。図７は、従来技術によるアダプティブアレイ基地局の構成図であり、図８は、従来技術によるアダプティブアレイ基地局への接続要求の処理を示すフローチャートである。即ち、これらの従来図に示すとおり、従来技術では、最大空間多重数に到達した状態で新規の接続要求を受信した場合、狭帯域呼・広帯域呼に拘らず、新規の呼の接続が拒否されていた。このように従来の技術では、最大空間多重数に到達した状態で新規の接続要求を受信した場合、新規呼の接続を拒否するため、ハードウェアを改善して最大空間多重数を増加させない限り、同時接続ユーザ数を増やすことは不可能であった。また、空間多重スロットの割当は「早い者勝ち」であったため、VoIP（狭帯域呼）のユーザが多い場合においても、新規の広帯域呼を接続することができず、システム全体の周波数利用効率が悪くなるケースがあった。
【０００５】
そこで、本発明は、VoIP等の狭帯域呼を拒否せずに確実に受け入れ、ユーザの利便性を向上させる空間多重スロット割当方法およびアダプティブアレイ基地局を提供することを目的とする。
【課題を解決するための手段】
【０００６】
上述した諸課題を解決すべく、第１の発明による空間多重スロット割当方法は、
複数の端末と通信を行うアダプティブアレイ（アンテナ）基地局の空間多重スロット割当方法であって、
（アダプティブアレイ基地局が端末から送信された接続要求を受信するステップと、）
端末から送信される接続要求に基づき、当該端末の呼が狭帯域呼であるか否か（広帯域呼であるか）を判定するステップと、
前記端末の呼が狭帯域呼である場合は、当該端末にサブスロット方式にて割当制御を行うステップと、
を含むものである。
【０００７】
また、第２の発明による空間多重スロット割当方法は、
前記端末からの接続要求が使用するキャリア周波数が、最大空間多重数に到達しているか否かを判定するステップと、
前記端末からの接続要求が、狭帯域呼であり、かつ、最大空間多重数に到達している場合は、当該端末にサブスロット方式にて割当制御を行うステップと、
をさらに含むことを特徴とする。
【０００８】
また、第３の発明による空間多重スロット割当方法は、
前記端末からの接続要求が、当該端末の契約種別情報を含み、前記端末からの接続要求が、狭帯域呼であるか否か（或いは広帯域呼であるか）を当該端末の契約種別情報に基づき判定する、
ことを特徴とする。
【０００９】
また、第４の発明による空間多重スロット割当方法は、
前記端末からの接続要求が狭帯域呼でない場合（即ち、広帯域呼である場合）は、（さらに好適には、前記端末の接続要求が使用するキャリア周波数が、最大空間多重数に到達している場合）、当該端末からの接続要求が使用するキャリア周波数においてフルスロット方式の割当制御を行っている狭帯域呼の他の端末を、サブスロット方式の割当制御に変更し（即ち、割当済みのリソースであるフルスロットを一旦開放し、サブスロット方式で割当てし直す）、当該端末にフルスロット方式にて（開放されたフルスロットを割り当てる）割当制御を行うステップ、
をさらに含むことを特徴とする。
【００１０】
上述したように本発明の解決手段を方法として説明してきたが、本発明はこれらに実質的に相当する装置（基地局）、プログラム、プログラムを記録した記憶媒体としても実現し得るものであり、本発明の範囲にはこれらも包含されるものと理解されたい。
【００１１】
例えば、本発明を装置として実現させた第５の発明によるアダプティブアレイ基地局は、
空間多重スロット割当方式で複数の端末と通信を行うアダプティブアレイ基地局（無線通信装置など）であって、
端末から送信された接続要求を受信する受信部（回路など）と、
前記受信部が受信した前記端末の接続要求に基づき、当該端末の呼が狭帯域呼であるか否か（或いは広帯域呼であるか）を判定する帯域判定部（回路など）と、
前記端末の呼が狭帯域呼である場合は、当該端末にサブスロット方式にて割当制御を行う割当制御部（回路など）と、
を備える。
【００１２】
また、第６の発明によるアダプティブアレイ基地局は、
前記端末からの接続要求が使用するキャリア周波数が、最大空間多重数に到達しているか否かを判定する多重数判定部をさらに備え、
前記割当制御部は、
前記端末からの接続要求が狭帯域呼であり、かつ、最大空間多重数に到達している場合は、当該端末にサブスロット方式にて割当制御を行う、
ことを特徴とする。
【００１３】
また、第７の発明によるアダプティブアレイ基地局は、
前記端末からの接続要求が、当該端末の契約種別情報を含み、
前記判定部は、
前記端末からの接続要求が、狭帯域呼であるか否か（或いは広帯域呼であるか）を当該端末の契約種別情報に基づき判定する、
ことを特徴とする。
【００１４】
また、第８の発明によるアダプティブアレイ基地局は、
前記割当制御部が、
前記端末からの接続要求が狭帯域呼でない場合（即ち、広帯域呼である場合）は、（さらに好適には、前記端末の接続要求が使用するキャリア周波数が、最大空間多重数に到達している場合）、当該端末からの接続要求が使用するキャリア周波数においてフルスロット方式の割当制御を行っている狭帯域呼の他の端末を、サブスロット方式の割当制御に変更し（即ち、割当済みのリソースであるフルスロットを一旦開放し、サブスロット方式にて割当てし直す）、当該端末にフルスロット方式にて（開放されたフルスロットを割り当てる）割当制御を行う、
ことを特徴とする。
【発明の効果】
【００１５】
本発明によれば、接続要求してきた新規の呼がVoIP等の狭帯域呼であると判定した場合には、サブスロットを利用して高い即時性を必要とする通信の接続要求呼を確実に登録し、ユーザ端末の接続要求を確実に受け入れることが可能となる。最大空間多重数に到達した状態から、さらに新規のVoIPを接続することができる。例えば、当該空間多重スロットの接続が全てVoIP（狭帯域呼）であった場合、従来比２倍ユーザ数を接続することが可能となる。また、VoIP（狭帯域呼）は、通常はサブスロットのような半分またはそれ未満の帯域幅であっても十分な通話品質が提供され、サービスグレード（ＧｏＳ）の面で問題はない。
【発明を実施するための最良の形態】
【００１６】
以降、諸図面を参照しながら、本発明の実施態様を詳細に説明する。図１は、本発明の実施態様によるアダプティブアレイ基地局のブロック図である。図に示すように、アダプティブアレイ基地局１００は、RAバーストを受信するバースト受信部１１０、VoIP(狭帯域呼)であるか否かを判定するVoIP(狭帯域呼)判定部１２０、スロット割当を制御するスロット割当制御部１３０、最大空間多重数を管理し、最大空間多重数に到達しているか否かを判定する最大空間多重数判定部１４０、サブスロット管理部１５０、ＡＡバーストを送信するバースト送信部１６０、およびサブスロット切替制御部１７０を備える。また、アダプティブアレイ基地局１００は、複数のアンテナからなるアダプティブアレイアンテナＡＮＴをさらに備える。
【００１７】
次に、データの流れを示す。まず、端末側（図示せず）より基地局側に対してＲＡバースト(接続要求)が送信され、バースト受信部１１０において受信される。次に、VoIP(狭帯域呼)判定部１２０において、ＲＡバースト内に予め埋め込まれたVoIP(狭帯域呼)ビットを読み取る。或いは、端末がレジストレーション（登録）した時に、各端末には端末識別番号IDが割り振られており、このレジストレーション時に既に広帯域呼か狭帯域呼かが決定されたり、端末側から指定することもでき、その場合は、ＲＡバースト内にVoIP(狭帯域呼)ビットを含ませる必要はなく、レジストレーション時の端末識別番号IDを含ませれば、広帯域呼か狭帯域呼かを判定することが可能となる。次にスロット割当制御部１３０において、最大空間多重数判定部１４０及びサブスロット管理部１５０の情報を参照しながら、後で詳細に説明する空間多重スロット割当アルゴリズム（方法）を用いてスロット割当制御を行う。
【００１８】
次にバースト送信部１６０において割り当て結果を端末に通知する。さらに、サブスロット切替制御部１７０において、必要に応じて当該スロットに既に接続しているVoIP（狭帯域呼）に対して、フルスロットからサブスロットに切り替えるように制御する。ここで、「フルスロット」とは、通常のスロット構成のことである。これに対して「サブスロット」は、VoIP等の狭い帯域しか必要としない、例えば、１組（２台）のユーザに対して、「フルスロット」をタイムシェアで２分割して使用するスロット構成のことである。タイムシェアの方法は、偶数フレームと奇数フレームを2ユーザで交互に使用する方法、スロットを前半部と後半部に分割して２ユーザで使用する方法が考えられる。
【００１９】
図２は、本発明の実施態様による空間多重スロット割当アルゴリズム（方法）の処理を示すフローチャートである。図に示すように、はじめにステップＳ１０では、基地局（スロット割当および空間多重化の制御を司る通信装置）が端末からのＲＡバースト（接続要求）を受信する。次に基地局は、端末がＲＡバーストを送信してきたときのキャリア周波数が最大空間多重に到達済みであるか否かを判定する（ステップＳ１１）。最大空間多重に到達済みでない場合は、ステップＳ１２に進み、端末にＡＡバースト（フルスロット割当）を送信して割当アルゴリズムの処理を終える。一方、ステップＳ１１で最大空間多重に到達済みであると判定された場合は、当該呼がVoIP（狭帯域呼）であるか否かを判定する（ステップＳ１３）。この判定は、当該呼を送信した端末のレジストレーション時に、端末の契約状況（狭帯域契約、広帯域契約の種別など）を通知させたり、或いは、接続要求の呼自体に、帯域指定を含ませたりして、これらの情報に基づき判定する。
【００２０】
ステップＳ１３にて、呼がVoIP（狭帯域呼）でない、即ち、広帯域呼であると判定された場合は、ステップＳ１４に進み、端末にＡＡバースト（接続拒否）を送信し、処理を終える。この場合は、拒否された端末は、別のキャリア周波数にシフトして再度ＲＡバースト（接続要求）を送信して接続を再試行する必要がある。ステップＳ１３にて、呼がVoIP（狭帯域呼）であると判定された場合は、サブスロットに空きがないかどうかを判定し、判定条件を満たさない場合（即ち、空き有り）は端末にＡＡバースト（サブスロット割当）を送信して処理を終える（ステップＳ１６）。
【００２１】
ステップＳ１５にて、サブスロットに空きがないと判定された場合は、同一空間多重内にペアに設定することができるフルスロットVoIP（狭帯域呼）があるのか否かを判定する（ステップＳ１７）。ステップＳ１７にて、判定条件を満たさない場合は（ペアとなるべきフルスロットVoIPなし）、ステップＳ１８に進み、端末にＡＡバースト（接続拒否）を送信して処理を終える。ステップＳ１７の条件を満たす場合（ペアに設定することができるフルスロットVoIPがあると判定された場合）は、端末にＡＡバースト（Extend割当）を送信する。端末は、これを受け、ペアとなるべき呼のサブスロット切替処理が済むであろう「Ｎフレーム後」に当該端末はリトライすることとなる。ステップＳ１９の後、処理はステップＳ２０に進み、ペアに設定されるべきフルスロットVoIP（狭帯域呼）をサブスロットに切り替えて、ぺア形成処理の受け入れ準備を行い、ステップＳ１０に戻る。
【００２２】
図３は、本発明の別の実施態様による空間多重スロット割当アルゴリズム（方法）の処理を示すフローチャートである。本実施態様は、広帯域呼であっても接続要求を受け入れる技法を提供する。また、本実施態様は、図２の実施態様とステップＳ１４以外の処理は同様であり、図２の処理との相違部分のみ説明する。図３に示すように、ステップＳ１３にて、呼がVoIP（狭帯域呼）でない、即ち、広帯域呼であると判定された場合は、ステップＳ２１に進み、同一空間多重内にフルスロットを占有しているVoIP（狭帯域呼）が１組（即ち、合計２個）あるか否かを判定する。ステップＳ２１で判定条件を満たさない場合は、端末にＡＡバースト（接続拒否）を送信して処理を終える。ステップＳ２１で判定条件を満たす場合（同一空間多重内にフルスロットを占有しているVoIP（狭帯域呼）が１組ある場合）は、ペアを形成するべきそれぞれの狭帯域呼をフルスロットからサブスロットにそれぞれ切り替え対（ペア）を形成し（ステップＳ２４，Ｓ２５）、ステップＳ１０に戻る。
【００２３】
このように、本実施態様によれば、最大空間多重数に到達した後の広帯域呼であっても拒否されずに接続要求を受け付けてもらうことが可能となる。即ち、端末にとっては、別のキャリア周波数にシフトして再度ＲＡバースト（接続要求）を送信して接続を再試行する必要が無くなるというメリットがある。
【００２４】
図４は、本発明によるサブスロット方式の一例を説明するタイミングチャートである。図４（ａ）は、フルスロット方式の本来のタイムスロット（フルスロット）を示すものであり、基地局から見て上段のＴｘが送信側のタイムスロット＃１〜＃３であり、下段のＲｘが受信側のタイムスロット＃１〜＃３であり、非対称のタイムインターバルとなっている。
【００２５】
図４（ｂ）は偶数フレームと奇数フレームとによって交互にスロットを割り当てることによってサブスロット化する様子を示したものである。ユーザ１には、奇数フレームであるフレームＦ１のスロット＃１がサブスロットＳＳ１１として、フレームＦ３のスロット＃１がサブスロットＳＳ１２として割り当てられる。同様に、ユーザ２には、偶数フレームであるフレームＦ２のスロット＃１がサブスロットＳＳ２１として、フレームＦ４のスロット＃１がサブスロットＳＳ２２として割り当てられる。
【００２６】
図４（ｃ）は１つのタイムスロットを前半部と後半部とに分割してサブスロット化する方式を示す。ユーザ３には各フレームＦ１〜Ｆ４のスロット＃１の前半部が、サブスロットＳＳ３１〜ＳＳ３４として割り当てられる。他方、ユーザ４には各フレームＦ１〜Ｆ４のスロット＃１の後半部が、サブスロットＳＳ４１〜ＳＳ４４として割り当てられる。なお、送信側のスロットに比べて帯域が半分である受信側のスロットは、フルスロットのままにしておき、いずれかのユーザのスロットを一時的に共用すれば、サブスロット化による通信品質・通信エリアの劣化が最小限に留めることができる。
【００２７】
図５は、本発明によるサブスロット方式の一例を説明するタイミングチャートであり、先にフルスロットを占有していた狭帯域呼のユーザをサブスロット化し、新規の広帯域呼のユーザにフルスロットを与えるケースを示す。図５（ａ）は、図４（ａ），と同様のフルスロット方式の本来のタイムスロット（フルスロット）を示すものである。
【００２８】
図５（ｂ）は、フレームＦ１の＃１において、広帯域呼のユーザ５にフルスロットＦＳ５１、狭帯域呼のユーザ６にフルスロットＦＳ６１、狭帯域呼のユーザ７にフルスロットＦＳ７１がそれぞれ割り当てられている。ここで、広帯域呼のユーザ８が接続要求を試行した場合を考える。基地局は、狭帯域呼のユーザ６、ユーザ７をサブスロット化してペアにするため、フルスロットＦＳ６１、ＦＳ７１のヘッダ部の何らかのフィールドにおいて、次期フレームＦ２からサブスロット化してスロット＃１の前半部と後半部とに切り替える旨をユーザ６、７に伝達し、ユーザ７が占有していたスロットを開放する。そして、次期フレームＦ２におけるユーザ６、７には、サブスロットＳＳ６１、ＳＳ７１を割り当てる。後続フレームＦ３におけるユーザ６、７には、サブスロットＳＳ６２、ＳＳ７２を割り当てる。開放されたスロットには、次期フレームＦ２から、広帯域呼のユーザ８にフルスロットＦＳ８１を割り当て、後続フレームＦ３にもフルスロットＦＳ８２を割り当てる。このようにして、従来は、最大多重数に到達した後は拒否されていたユーザ８のような広帯域呼のユーザを救済して受け入れることが可能となる。他方、広帯域呼のユーザ５は、フルスロットとして引続きＦＳ５２、ＦＳ５３を得る。
【００２９】
図６は、空間多重スロット割当アルゴリズム（方法）の変形例の処理を示すフローチャートである。この変形例では、VoIP呼の割り当てを常にサブスロット化するケースを示す。図に示すように、はじめにステップＰ１０では、基地局（スロット割当および空間多重化の制御を司る通信装置）が端末からのＲＡバースト（接続要求）を受信する。次に基地局は、端末がＲＡバーストを送信してきたときのキャリア周波数が最大空間多重に到達済みであるか否かを判定する（ステップＰ１１）。最大空間多重に到達済みである場合は、ステップＰ１２に進み、端末にＡＡバースト（接続拒否）を送信して処理を終える。ステップＰ１１にて、最大空間多重に到達済みでないと判定された場合は、ステップＰ１３に進み、当該呼がVoIP（狭帯域呼）であるか否かを判定する。当該呼がVoIP（狭帯域呼）でない場合は、端末にＡＡバースト（フルスロット割当）を送信して割当アルゴリズムの処理を終える（ステップＰ１４）。一方、ステップＰ１３にて当該呼がVoIP（狭帯域呼）であると判定された場合は、ステップＰ１５に進み、サブスロットに空きが有るか（即ち、１つのスロットに割り込めるようなサブスロットの空きがあり、ペアを形成できるか）否かを判定する。ステップＰ１５の条件を満たさない場合（即ち、空きなし）は、端末にＡＡバースト（新規のフルスロットを分割してできたサブスロットを割り当てる）を送信して処理を終える（ステップＰ１６）。ステップＰ１５の条件を満たす場合（即ち、ペアの相手となるサブスロットを占有するユーザが存在する場合）は、端末にＡＡバースト（残りのサブスロットを割り当てるペアを形成させる）を送信して処理を終える（ステップＰ１７）。
【００３０】
上述したように、本発明によるアダプティブアレイ基地局およびその制御方法では、最大空間多重数に到達している状態において、VoIP等の狭帯域ユーザに対する割当方法を改良することで、最大空間多重数に到達するまでは従来の通信品質を維持しつつ、さらなる同時接続ユーザ数の増加及び周波数利用効率の向上を見込める。特に、現行iBurst基地局のように、最大空間多重数が受信側と送信側で異なる場合（受信側最大空間多重数＞送信側最大空間多重数）、なおかつＴＤＤの送受スロット長が非対称である場合（受信：送信＝１：２）、VoIP（狭帯域呼）に割り当てるサブスロットは送信側だけで、受信側はフルスロットのままで良いため、サブスロット化による通信品質・通信エリアの劣化は最小限に留めることができる。例えば、空間多重スロットの接続が全てVoIP(狭帯域呼)であった場合、従来比2倍のユーザ数を接続することが可能となる。また、最大空間多重数に達するまでは、従来のアルゴリズムを踏襲するため、それぞれのユーザの通信品質に影響を及ぼすことはない。
【００３１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。また、各部、各手段、各ステップなどに含まれる機能などは論理的に矛盾しないように再配置可能であり、複数の手段やステップなどを１つに組み合わせたり、或いは分割したりすることが可能である。例えば、実施例では、サブスロット割り当てについて送信側のフレームのみを挙げて説明したが、受信用のスロットであっても同様に割り当てることができることに注意されたい。また、サブスロット化も２分割や交互にフルスロットを使う形式を実施例では挙げたが、３分割や、３回に一回だけフルスロットを使う形式であってもよい。
【図面の簡単な説明】
【００３２】
【図１】本発明の実施態様によるアダプティブアレイ基地局のブロック図である。
【図２】本発明の実施態様による空間多重スロット割当アルゴリズム（方法）の処理を示すフローチャートである。
【図３】本発明の別の実施態様による空間多重スロット割当アルゴリズム（方法）の処理を示すフローチャートである。
【図４】本発明によるサブスロット方式の一例を説明するタイミングチャートである。
【図５】本発明によるサブスロット方式の一例を説明するタイミングチャートである。
【図６】空間多重スロット割当アルゴリズム（方法）の変形例の処理を示すフローチャートである。
【図７】従来技術によるアダプティブアレイ基地局の構成図である。
【図８】従来技術によるアダプティブアレイ基地局への接続要求の処理を示すフローチャートである。
【符号の説明】
【００３３】
１００  アダプティブアレイ基地局
１１０  バースト受信部
１２０  VoIP判定部
１３０  スロット割当制御部
１４０  最大空間多重数判定部
１５０  サブスロット管理部
１６０  バースト送信部
１７０  サブスロット切替制御部
ＡＮＴ  アダプティブアレイアンテナ
Ｆ１-Ｆ４  フレーム
ＦＳ５１−ＦＳ５３  フルスロット
ＦＳ６１  フルスロット
ＦＳ７１  フルスロット
ＦＳ８１、ＦＳ８２  フルスロット
ＳＳ１１、ＳＳ１２  サブスロット
ＳＳ２１、ＳＳ２２  サブスロット
Ｓ２４、Ｓ２５  スロット
ＳＳ３１−ＳＳ３４  サブスロット
ＳＳ４１−ＳＳ４４  サブスロット
ＳＳ６１、ＳＳ６２  サブスロット
【図１】
2008085800.tif 000003
【図２】
2008085800.tif 000004
【図３】
2008085800.tif 000005
【図４】
2008085800.tif 000006
【図５】
2008085800.tif 000007
【図６】
2008085800.tif 000008
【図７】
2008085800.tif 000009
【図８】
2008085800.tif 000010